(57)【要約】【課題】本発明は、植栽樹木、特に植栽果樹の根元周りにおいて、雑草の発生抑制を図るとともに、肥料、薬剤等の施肥を簡易化して実施でき、また防虫・防鳥も可能なマルチング装置を提供する。【解決手段】マルチング装置が複数の扇形状マルチング片から構成されており、使用する時には樹木の根元を中心に扇形状マルチング片を展開して円環状マルチングを形成し、格納する際には重ね合せて一つの扇形状マルチング片集合体を形成する構成にし、また扇形状マルチング片が、本体と縦壁から形成される内部空間に薬剤・肥料を充填した扇形状のカートリッジを内蔵し、また扇形状マルチング片から立設する複数本の支柱を設けると共に支柱の上端部にネット受け上部リングを配設し、ネット受け上部リングと支柱群の外側に防虫・防鳥ネットを掛ける構成にしたことを特徴とする。【選択図】図１
2013009636.tif 000002
【特許請求の範囲】
【請求項１】
植栽樹木の根元に施すマルチング装置において、該装置が複数の扇形状マルチング片から構成されており、使用する時には該樹木の根元を中心に該扇形状マルチング片を展開して円環状マルチングを形成し、設置しないで格納する際には重ね合せて一つの扇形状マルチング片集合体を形成する構成にしたことを特徴とする植栽樹木のマルチング装置。
【請求項２】
前記扇形状マルチング片が、合成樹脂製又は金属製又は木製であり、本体に複数の透水孔を設けるとともに、内外側の円弧端部に下方へ延在する縦壁を夫々１箇所設けていることを特徴とする請求項１に記載の植栽樹木のマルチング装置。
【請求項３】
前記扇形状マルチング片の表面の色彩が、黒色又は銀色又は緑色に彩色したことを特徴とする請求項１又は２に記載の植栽樹木のマルチング装置。
【請求項４】
前記扇形状マルチング片が、前記本体と縦壁から形成される内部空間に薬剤・肥料を充填した扇形状のカートリッジを嵌め込み内蔵したことを特徴とする請求項２又は３に記載の植栽樹木のマルチング装置。
【請求項５】
前記カートリッジ内に殺虫剤、除草剤、即効性肥料、緩効性肥料から適宜選択された薬剤・肥料を充填したことを特徴とする請求項４に記載の植栽樹木のマルチング装置。
【請求項６】
前記扇形状マルチング片から立設する複数本の支柱を設けると共に該支柱の上端部にネット受け上部リングを配設し、該ネット受け上部リングと該支柱群の外側に防虫・防鳥ネットを掛けることを特徴とする請求項１又は２に記載の植栽樹木のマルチング装置。
【請求項７】
前記支柱が、前記扇形状マルチング片を貫通して土壌中に挿入された支柱用基礎杭の中空部に嵌め込まれて立設することを特徴とする請求項６に記載の植栽樹木のマルチング装置。
【発明の詳細な説明】
【技術分野】
【０００１】
本発明は、植栽樹木、特に植栽果樹の根元周りの雑草の発生抑制を図り、肥料、薬剤等の施肥を簡易化したマルチング装置に関するものである。
【背景技術】
【０００２】
従来、植栽樹木の根元周りをプラスチックフィルム等の被覆資材で覆うことにより雑草の繁茂を抑え、肥料の流亡を防ぎ、土壌からの水分蒸発を抑え、また地温を調節できるなどの効果が認められて来ている。
【０００３】
前記プラスチックフィルムとしては、ポリ塩化ビニルを採用したものが主流であって耐久性はあるが、有機物材料と異なり、使用後はゴミとなって処分することを要するものである。この問題に対して、天然材料を活用して、雑草の生育抑制、表土の飛散と流亡の防止を図った有効な手段が先行技術として開示されている（文献１）
【先行技術文献】
【特許文献】
【０００４】
【特許文献１】特開２００８−９２９１７号公報（〔０００６〜０００７〕、〔図８〕）
【発明の概要】
【発明が解決しようとする課題】
【０００５】
前記先行技術は、植物繊維のシートとウッドチップとに薄めた接着剤を含ませたマルチング構造であって、雑草の生育を抑制し、植栽物の根元に保温、保水効果をもたらして生育を助長し、かつ、用済み後は腐敗させて自然に戻すことができる点で優れたものである。しかし、植栽樹木、特に果樹については、根元からの害虫を抑制又は駆除するための薬剤散布を必要とし、また、元肥や追肥などの施肥を必要とするなど、この点において対応できない問題があった。
【０００６】
本発明は、これらの問題を解決したものであって、植栽樹木、特に植栽果樹の根元周りの雑草の発生抑制を図るとともに、肥料、薬剤等の施肥を簡易化して実施できるマルチング装置を提供することを目的とする。
【課題を解決するための手段】
【０００７】
上記の目的を達成するために、本発明の請求項１に係る植栽樹木のマルチング装置は、植栽樹木の根元に施すマルチング装置において、該装置が複数の扇形状マルチング片から構成されており、使用する時には該樹木の根元を中心に該扇形状マルチング片を展開して円環状マルチングを形成し、設置しないで格納する際には重ね合せて一つの扇形状マルチング片集合体に形成する構成にしたことを特徴とする。
【０００８】
請求項２に係る植栽樹木のマルチング装置は、請求項１に記載の植栽樹木のマルチング装置において、前記扇形状マルチング片が、合成樹脂製又は金属製又は木製であり、本体に複数の透水孔を設けるとともに、内外側の円弧端部に下方へ延在する縦壁を夫々１箇所設けていることを特徴とする。
【０００９】
これらの構成により、植栽樹木、特に植栽果樹の場合は植栽地に多種多数の果樹が植栽されるが、マルチング装置を使用した場合、使い捨てをしないので環境汚染の心配がなく、また簡易な構造で、格納状態から使用状態への切替作業、または逆の作業でも、簡単で、容易にできるマルチング装置を提供することができる。
【００１０】
また、これらの構成をとることにより、製作加工の点においても容易な形状であって、半恒久的に使用できる扇形状マルチング片を提供できる。さらに、断面形状が下駄状であるから、土壌中に埋設することが可能であり、又はその内部空間に他の器具を内設することが可能である。また、天板に設ける複数の透水孔は樹木に対する灌水を容易にすると共に、透水孔から芽出しする雑草の有無から雑草の生育状況も把握できる。
【００１１】
請求項３に係る植栽樹木のマルチング装置は、請求項１または請求項２に記載の植栽樹木のマルチング装置において、前記扇形状マルチング片の表面の色彩が、黒色又は銀色又は緑色に彩色したことを特徴とする。
【００１２】
この構成をとることにより、黒色では太陽光等を集熱するマルチング効果、銀色ではアブラムシの予防、緑色では景観に配慮したマルチング装置というように夫々特徴をもって適用できる。これらの配色を施した扇形状マルチング片を数種類用意して置けば、目的に合わせて、適宜選択することができる。
【００１３】
請求項４に係る植栽樹木のマルチング装置は、請求項２または請求項３に記載の植栽樹木のマルチング装置において、前記扇形状マルチング片が、前記本体と縦壁から形成される内部空間に薬剤・肥料を充填した扇形状のカートリッジを嵌め込み内蔵したことを特徴とする。
【００１４】
請求項５に係る植栽樹木のマルチング装置は、請求項４に記載の植栽樹木のマルチング装置において、前記カートリッジ内に殺虫剤、除草剤、即効性肥料、緩効性肥料から適宜選択された薬剤・肥料を充填したことを特徴とする。
【００１５】
これらの構成をとることにより、栽培する果樹の種類やそれに付く害虫の種類等に応じて、殺虫、除草などの薬剤や肥料を選択して適用することができる。また、カートリッジは、薬剤や肥料を夫々単独のカートリッジにし、それを積層して構成してもよいし、また夫々の薬剤・肥料を層状に積み重ねて一体に形成したものでもよい。また、カートリッジ化により長時間にわたり手間を必要とせず樹木に薬効をもたらすことができるし、カートリッジの薬剤・肥料を消耗すれば、容易に同一の又は別のカートリッジを選択して交換することができる。
【００１６】
請求項６に係る植栽樹木のマルチング装置は、請求項１または請求項２に記載の植栽樹木のマルチング装置において、前記扇形状マルチング片から立設する複数本の支柱を設けると共に該支柱の上端部にネット受け上部リングを配設し、該ネット受け上部リングと該支柱群の外側に防虫・防鳥ネットを掛けることを特徴とする。また、請求項７に係る植栽樹木のマルチング装置は、請求項６に記載の植栽樹木のマルチング装置において、前記支柱が、前記扇形状マルチング片を貫通して土壌中に挿入された支柱用基礎杭の中空部に嵌め込まれて立設することを特徴とする。
【００１７】
これらの構成によると、夫々の扇形状マルチング片を貫通した支柱が間接的に土壌中に基礎していることになり、確実に、安定して支柱を直立させることができる。また、ネット受け上部リングも支柱上に安定して載置され、ネット受け上部リングと支柱に被せるネットも確実に設置できる。これにより防虫・防鳥の機能を十分果たし、強風などの外乱にも十分耐え得る。また、支柱やネットの取り付けや取外しが簡易に実施でき、果樹等の植栽作業を容易に実施できる。
【発明の効果】
【００１８】
本発明に係る請求項１，２，３に記載の植栽樹木のマルチング装置によれば、マルチング片を展開する又は閉じて収納することにより使用状態から格納状態へ又は逆も簡易に実施できる。また、マルチング片は合成樹脂、金属又は木と、材質を問わず、製作加工が容易な形状である。また、マルチングが終了しても廃棄することなく再利用が可能で、環境に優しい装置である。
【００１９】
本発明に係る請求項４，５に記載の植栽樹木のマルチング装置によれば、構成するマルチング片に、殺虫剤などの薬剤や即効性又は遅効性の肥料を適宜選択して内蔵したカートリッジを内部に付設することで、薬剤の散布作業や肥料の施肥作業を省略することができる。また、長時間使用後に寿命が来れば、予備カートリッジに取替え可能であるので、植栽作業の省力化に貢献する。
【００２０】
本発明に係る請求項６、７に記載の植栽樹木のマルチング装置によれば、植栽樹木、特に、果実の生る果樹に対する防虫、防鳥用ネットを掛ける又は取外しが容易であるし、防虫、防鳥の効果も確実に得られる。また、ネット掛け用支柱の取付け、又は取外し作業も実施し易い構造になっており、製作も容易で、製造費も安くできる。
【００２１】
本発明に係る植栽樹木のマルチング装置によれば、植栽樹木、特に果実の生る果樹について樹木の育成、保護に貢献するし、雑草の発生の抑制、土壌の保温、適正な潅水、薬剤の散布、施肥作業の省力化、防虫、防鳥対策などを省力、省資源しながら効率良く、簡易に実施することが可能となる。
【図面の簡単な説明】
【００２２】
【図１】図１は、本発明の実施するための形態に係る植栽樹木のマルチング装置であって、全体斜視図である。
【図２】図２は、図１のＡ−Ａ矢視の断面図である。
【図３】図３は、本発明の実施するための形態に係る植栽樹木のマルチング装置であって、マルチング片集合体の（ａ）は模式的斜視図、（ｂ）は模式的平面図、（ｃ）はＢ―Ｂ矢視の断面図である。
【図４】図４は、マルチング片を組み立てたマルチング装置の模式的斜視図である。
【図５】図５は、カートリッジの（ａ）は模式的平面図、（ｂ）は（ａ）のＣ−Ｃ矢視の模式的断面図である。
【図６】図６は、カートリッジを内蔵して組立てたマルチング片の模式的断面図である。
【図７】図７は、マルチング装置に樹木ネットを配設した全体斜視図である。
【図８】図８は、マルチング片から立設する支柱の模式的断面図である。
【図９】図９は、ネットの模式的斜視図である。
【発明を実施するための形態】
【００２３】
図１は、本発明に係る植栽樹木２０のマルチング装置１の代表的な適用例を示す。マルチング装置１は、植栽樹木２０の根元２１を中心として、その周囲に配設された８個のマルチング片２−１〜８を展開して円環状マルチングを形成する。図２は、図１のマルチング装置１のＡ−Ａ矢視の断面を示した図であって、マルチング片２−３、２−６が植栽樹木２０の根元２１を中心に、土壌２３中にマルチング片２−３、２−６の夫々外側壁６と内側壁７を埋設し、即ち下駄の歯を土壌中に突設するようにして、マルチング片２−３、２−６の上面である天板５を土壌２３表面に平行に、通常は水平に設置し、植栽樹木２０の根元２１の周囲をマルチングする。また、後述するが、マルチング片２−３、２−６の外側壁６と内側壁７とに囲まれた内部には、薬剤や肥料を内蔵したカートリッジ１０が配設される。
【００２４】
図３には、マルチング装置１のマルチング片集合体２の（ａ）は模式的斜視図、（ｂ）は模式的平面図、（ｃ）はＢ―Ｂ矢視の断面図を示している。マルチング片２−１は、扇形の天板５と、天板５の内外側の円弧端部に下方へ延在する縦壁である外側壁６と内側壁７とからなる。また、天板５には、灌水のための複数の透水孔８と後述するネット用の支柱基礎杭が貫通する支柱用穴９を設けている。図３（ａ）に示すように、マルチング片集合体２は、マルチング装置１として使用せず格納する場合には、８個の扇形状マルチング片２−１〜８を積み重ねた状態で格納でき、また、マルチング装置１として使用する場合には、一点鎖線で示すように集合体２から引き出して、扇状に展開して円環状のマルチング装置１を形成する。それを図４でマルチング片２−１〜８から組み立てたマルチング装置１の模式的斜視図で示している。また、本発明のマルチング装置を構成する扇形状マルチング片の構成数は８個に固定することなく、マルチング装置１の大きさによって、適宜増減することができ、個数に制約はない。
【００２５】
円環状のマルチング装置１の外径は、植栽樹木の大きさ、すなわち根の大きさに左右され、苗木から成木を対象とするので、通常０．５〜４ｍの範囲であり、天板５の厚みは、材質にもよるが、１〜５ｍｍ程度である。また、扇形状マルチング片２−１〜８は、合成樹脂製、金属製又は木製のいずれかであってよく、耐候性、製作容易性、経済性の観点から適宜選択することができるが、総合的には、合成樹脂を用いて射出成形で製作するのが好適である。また、マルチング期間が終了しても、扇形状マルチング片は廃棄することなく再利用が可能で、環境に優しい装置である。
【００２６】
また、扇形状マルチング片２−１〜８の表面である天板５の色彩を、黒色又は銀色又は緑色に彩色するのが好ましく、黒色では太陽光等を集熱するマルチング効果、銀色ではアブラムシの予防、緑色では景観に配慮したマルチング装置というように夫々特徴をもった効用がある。また、これらの配色を施した扇形状マルチング片を数種類用意して置けば、目的に合わせて、適宜選択することができる。また、彩色は、扇形状マルチング片２−１〜８が合成樹脂製の場合には、材料に色素を配合するのが好ましく、金属製の場合には塗装を施す又はカラー金属板を採用するのが好ましく、木製の場合には塗装を施すのが好ましい。
【００２７】
また、図６には、薬剤や肥料を内蔵したカートリッジ１０を扇形状マルチング片２−１〜８内に配設して組立てたマルチング片２−１〜８の模式的断面図をしめしている。また、図５には、カートリッジ１０の（ａ）は模式的平面図、（ｂ）は（ａ）のＣ−Ｃ矢視の模式的断面図を示す。カートリッジ１０は、扇形状マルチング片２−１〜８と相似の形状を有するカートリッジ殻１１と、その殻内に配設される薬剤・肥料層１２からなる。カートリッジ殻１１には、マルチング片２−１〜８の天板５と同様の灌水のための複数の透水孔８と後述するネット用の支柱基礎杭が貫通する支柱用穴９を設けている。薬剤・肥料層１２には、殺虫剤、除草剤、即効性肥料、緩効性肥料から適宜選択されたものから形成する。
【００２８】
また、前記薬剤・肥料層１２には、栽培する果樹の種類やそれに付く害虫の種類等に応じて、殺虫、除草などの薬剤や肥料を選択して適用することができる。また、カートリッジ１０は、薬剤や肥料を夫々単独のカートリッジ１０にし、それを積層して構成してもよいし、また夫々の薬剤・肥料を層状に積み重ねて一体に形成したカートリッジ１０であってもよい。また、このカートリッジ化により長時間にわたり手間を必要とせず樹木に薬効をもたらすことができるし、カートリッジ１０の薬剤・肥料を消耗すれば、容易に同一の又は別のカートリッジ１０を選択して交換することができる。
【００２９】
図７には、マルチング装置１に樹木２０に掛けるネット１５を配設した全体斜視図を示している。また、図８には、マルチング片２−１から立設する支柱１３の模式的断面図を示す。また、図９には、ネット１５の模式的斜視図を示す。図７に示すように、ネット１５は、樹木２０を痛める又は果樹２０の果実を食べる鳥類や昆虫などの虫類の侵入や接触を防止して樹木２０を保護するために設けるものであって、扇形状マルチング片２−１〜８から立設する複数本の支柱１３を設けると共に支柱１３の上端部でネット受け上部リング１４を結合して支持し、ネット受け上部リング１４と支柱群１３の外側に防虫・防鳥ネット１５を掛けて張設するものである。また、図８に示すように、支柱１３は、扇形状マルチング片２−１を貫通して土壌２３中に挿入された支柱用基礎杭１６の内部の中空部に嵌入して立設する。この場合、支柱用基礎杭１６の中空部の上端部分と支柱１３の嵌入部分と咬合し、支柱１３を抜け難くしている。また、支柱１３とネット受け上部リング１４は、支柱１３の上端を逆Ω状にしてリング１４を嵌着するのが嵌め合わせが確実であり、しかも脱着が容易である。
【００３０】
また、ネット１５は、網目状であって、網目の大きさは防鳥又は防虫の目的によって適宜決められる。ネット１５を構成する網の材料も植物繊維の撚り糸又は合成繊維の単糸や撚り糸を用いることができる。また、ネット１５には、ネット受け上部リング１４と支柱１３の外側に張設し易いように開閉用のファスナー１５−１を設けている。前述したように、扇形状マルチング片２−１〜８を貫通した支柱１３が間接的に土壌２３中に基礎を下していることになり、確実に、安定して支柱１３を直立させることができる。また、ネット受け上部リングも支柱上に安定して載置され、ネット受け上部リング１４と支柱１３に被せるネット１５を確実に設置できる。これによりネット１５は樹木２０に対して防虫・防鳥の機能を十分果たし、強風などの外乱にも十分耐え得る。また、支柱１３やネット１５の取り付けや取外しが簡易に実施でき、果樹等の植栽作業を容易に実施できる。
【００３１】
本発明に係る植栽樹木、特に植栽果樹のマルチング装置１について、その実施状態について説明すると、マルチング装置１は、マルチングの使用後に廃棄する必要がなく、再利用が可能な装置であり、環境に優しく、省資源が達成できる装置である。また、扇形状のマルチング片で構成されるマルチング装置１は、植栽果樹の２０の根元２１に施され、雑草の発生の抑制、土壌の保温と適正な潅水の実施が行え、省力しながら簡易に育成作業を実行できる。
【００３２】
また、マルチング装置１のマルチング片２に薬剤・肥料１２を内蔵したカートリッジ１０を付設する場合は、カートリッジ１０に透水孔８を通して、雨水や散水による潅水で水が注入され、薬剤・肥料層から成分が染みだし、樹木の根や土壌に自然に供給されるので、薬剤の散布作業や施肥作業を省略することができ、省力化につながる。また、カートリッジ１０は、マルチング片２を取外せば、予備のカートリッジと簡単に取替えができ、薬剤や肥料の効果を簡易に維持することができる。
【００３３】
また、マルチング装置１のネット１５掛けは、取付け又は取外しが支柱１３を含めて簡単な手順で実施できるので、防虫・防鳥が必要でない時期は取外して、例えば、樹木の剪定作業等が自由に実施でき、花芽や果実が付いた時には、防虫・防鳥のために支柱１３の立設やネット１５掛け作業が簡易にできるので、防虫・防鳥作業を、必要に応じて、効率よく簡易に実行することができる。
【００３４】
前述したように、本マルチング装置１は、小は苗木や小さい１ｍ前後の果樹、大は数ｍ超えの樹木を対象にして十分マルチング効果を発揮させることができる。
【産業上の利用可能性】
【００３５】
植栽分野で広く適用されるのみならず、農業分野でもマルチングやネットなど活用できる要素がある。
【符号の説明】
【００３６】
１：マルチング装置        
２：マルチング片集合体    ２−１〜８：マルチング片
５：天板    ６：外側壁    ７：内側壁    ８：透水孔  ９：支柱用穴
１０：カートリッジ    １１：カートリッジ殻
１２−１，２，３，４：薬剤（肥料）層            
１３：支柱        １４：ネット受け上部リング      １５：ネット  
１５−１：ファスナー      １６：支柱用基礎杭
２０：植栽樹木（果樹）  ２１：根元    ２２：根    ２３：土壌
【図１】
2013009636.tif 000003
【図２】
2013009636.tif 000004
【図３】
2013009636.tif 000005
【図４】
2013009636.tif 000006
【図５】
2013009636.tif 000007
【図６】
2013009636.tif 000008
【図７】
2013009636.tif 000009
【図８】
2013009636.tif 000010
【図９】
2013009636.tif 000011